(57)【要約】【課題】本開示は、リード線の断線による火災発生を抑止するとともに組立が容易な洗濯機を提供する。【解決手段】洗濯機１００は、外枠１０１の背面側に配設され、モータ１２１を制御する制御基板と、モータ１２１と制御基板とを接続するリード線１２７と、下部枠体１０３に配設され、リード線１２７を固定する不燃化カバー２２８と、を備える。不燃化カバー２２８は、難燃部材により略コ字状に形成され、略コ字の内部にリード線１２７を固定し、外枠１０１の背面側に開口するように配置されており、略コ字の上面である傾斜面２３６は、背面に向かって開くように構成されている。これにより、不燃化カバー２２８は略コ字状の開口部２４０が大きくなるように構成できる。そのため、リード線１２７の断線による火災発生を抑止するとともに、リード線１２７の取り付けや取外しが容易である。【選択図】図１
2020178954.tif 000002
【特許請求の範囲】
【請求項１】
筐体と、前記筐体の内部に揺動可能に支持された水槽と、前記水槽の内部に回転自在に設けられた洗濯兼脱水槽と、前記水槽の下部に配設され、前記洗濯兼脱水槽を回転駆動させるモータと、前記筐体の背面側に配設され、前記モータを制御する制御装置と、前記モータと前記制御装置とを接続するリード線と、前記筐体に配設され、前記リード線を固定する筐体側取付部と、を備え、
前記筐体側取付部は、難燃部材により略コ字状に形成され、略コ字の内部に前記リード線を固定し、前記筐体の背面側に開口するように配置されており、前記略コ字の上面は、背面に向かって開くように構成されている、洗濯機。
【請求項２】
前記筐体側取付部は、前記リード線を固定する箇所から離間した位置において、前記筐体に対してビス止めされる、請求項１に記載の洗濯機。
【発明の詳細な説明】
【技術分野】
【０００１】
本開示は、洗濯機に関する。
【背景技術】
【０００２】
特許文献１は、筐体の背面内部にリード線が固定された縦型洗濯機を開示する。特許文献１における縦型洗濯機は、筐体と、筐体内部に弾性支持された水槽と、水槽の内部に回転自在に設けられた洗濯兼脱水槽と、水槽の下部に配設され、洗濯兼脱水槽を回転駆動させるモータと、モータを制御する制御装置と、モータと制御装置とを接続するリード線と、を備える。モータと接続されたリード線は、一本に束ねられて筐体側に引き回されて筐体の背面内部に固定されている。
【０００３】
また、従来の洗濯機として、ガラス繊維で構成された難燃性のテープをリード線に巻き付けることにより、リード線が断線した際に火災が発生することを抑制する構成が知られている。
【先行技術文献】
【特許文献】
【０００４】
【特許文献１】特開平９−２７６５８７号公報
【発明の概要】
【発明が解決しようとする課題】
【０００５】
前記従来の構成では、洗濯運転時に水槽が振動すると筐体側に固定されたリード線に応力が集中し、断線して火災が発生する虞があった。そのため、従来の洗濯機では応力が集中する箇所に難燃性のテープを巻き付けていたが、リード線にテープを巻き付ける構成は、組立てる際の作業性が低い上に難燃性のテープの価格が高いという課題があった。
【０００６】
本開示は、リード線の断線による火災発生を抑止するとともに組立が容易な洗濯機を提供する。
【課題を解決するための手段】
【０００７】
本開示における洗濯機は、筐体と、前記筐体の内部に揺動可能に支持された水槽と、前記水槽の内部に回転自在に設けられた洗濯兼脱水槽と、前記水槽の下部に配設され、前記洗濯兼脱水槽を回転駆動させるモータと、前記筐体の背面側に配設され、前記モータを制御する制御装置と、前記モータと前記制御装置とを接続するリード線と、前記筐体に配設され、前記リード線を固定する筐体側取付部と、を備える。前記筐体側取付部は、難燃部材により略コ字状に形成され、略コ字の内部に前記リード線を固定し、前記筐体の背面側に開口するように配置されており、前記略コ字の上面は、背面に向かって開くように構成されている。
【発明の効果】
【０００８】
本開示における洗濯機は、リード線の断線による火災発生を抑止するとともに容易に組立ができる。
【図面の簡単な説明】
【０００９】
【図１】実施の形態１における洗濯機の縦断面図
【図２】同洗濯機の背面カバーを外した状態の下部背面図
【図３】図２におけるＡ−Ａ断面図
【図４】同洗濯機の不燃化カバーの周囲を示す分解斜視図
【図５】同洗濯機の不燃化カバーの周囲を示す縦断面図
【図６】同洗濯機の不燃化カバーの取付作業を示す模式図
【発明を実施するための形態】
【００１０】
以下、図面を参照しながら、実施の形態を詳細に説明する。なお、添付図面および以下の説明によって本発明が限定されるものではない。
【００１１】
（実施の形態１）
図１は、実施の形態１における洗濯機の縦断面図である。
【００１２】
洗濯機１００は、外枠１０１と、上部枠体１０２と、下部枠体１０３とを備えている。上部枠体１０２は、外枠１０１の上部に固定されており、略中央に洗濯物投入口１０５が開口するように形成されている。下部枠体１０３は、樹脂により形成されており、外枠１０１の下部と固定されている。
【００１３】
上部枠体１０２の後方上部には、蓋１０４が洗濯物投入口１０５を覆うように開閉自在に配設されている。蓋１０４の後方には操作表示部１０６が設けられており、操作表示部１０６は表示部及び操作部を含む。使用者は、操作部を操作しながら表示部に表示される情報を確認し、洗濯機の運転条件を設定する。
【００１４】
外枠１０１の内部には、有底円筒状に形成された水槽１０７がサスペンション（図示せず）により弾性支持されている。
【００１５】
水槽１０７の内部は水を溜めることが可能であり、溜まった水は、排水弁（図示せず）が開放されることにより排水管（図示せず）から排出される。
【００１６】
水槽１０７の内部には、洗濯兼脱水槽１０９が回転自在に保持されている。洗濯兼脱水槽１０９の側壁には多数の脱水孔１１２が形成されており、洗濯水を洗濯兼脱水槽１０９の内外に通過させる。洗濯兼脱水槽１０９の上方位置にはバランサ１１１が設けられており、脱水動作時の洗濯兼脱水槽１０９のガタツキを抑制する。洗濯兼脱水槽１０９の底部には、パルセータ１１０が回転自在に設けられている。パルセータ１１０が回転することにより、洗濯兼脱水槽１０９の内部の洗濯物を攪拌できる。
【００１７】
水槽１０７の下部中央には、板状に形成された金属部品であるモータ保持部１２０が配設されている。モータ保持部１２０には、水槽１０７の外底部に取り付けられた伝達機構１２６と、ベルト１２２を介して伝達機構１２６を駆動させるモータ１２１と、が固定されている。ベルト１２２は、モータ１２１に設けられたモータ側プーリ１２３と、伝達機構１２６側に設けられたメカ側プーリ１２４との間で架橋されており、モータ１２１の回転駆動力を伝達機構１２６に伝達させる。
【００１８】
伝達機構１２６には、回転軸１２５と、減速ギア（図示せず）と、回転軸１２５の接続先を切り換えるクラッチ（図示せず）と、ブレーキ（図示せず）と、が設けられている。回転軸１２５は、パルセータ１１０及び洗濯兼脱水槽１０９と、それぞれ接続されている。
伝達機構１２６は、クラッチを切り替えることで、パルセータ１１０を単独で回転させ、または、パルセータ１１０及び洗濯兼脱水槽１０９を同時に回転させる。
【００１９】
外枠１０１の背面は一部分が開口しており、開口部分には制御基板（図示せず）を内蔵したコントローラボックス１１３が配設されている。コントローラボックス１１３の背面
には、外枠１０１の開口部分を覆うように背面カバー１１４が配設されている。制御基板は、モータ１２１や伝達機構１２６等を制御して一連の洗濯運転を実行させる。
【００２０】
図２は、実施の形態１における洗濯機の背面カバーを外した状態の下部背面図、図３は、図２におけるＡ−Ａ断面図である。
【００２１】
図２及び図３に示すように、モータ１２１から引き出されたリード線１２７は、下部枠体１０３の背面に引き回され、コントローラボックス１１３の下部に形成されたボックス開口部１１３ａからコントローラボックス１１３の内部に挿入されている。リード線１２７は、制御基板とモータ１２１とを電気的に接続し、電力供給や電気信号の伝達を行う。
【００２２】
制御基板側のリード線１２７は不燃化カバー２２８に係止されており、不燃化カバー２２８はコントローラボックス１１３の下方において下部枠体１０３に配設されている。モータ１２１側のリード線１２７は水槽側取付部１３１に係止されており、水槽側取付部１３１は水槽１０７の下部に固定されている。リード線１２７は、水槽側取付部１３１と不燃化カバー２２８との間で、弛みであるリード線弛み部１２７ａを持たせるように係止されている。
【００２３】
図４は、実施の形態１における洗濯機の不燃化カバーの周囲を示す分解斜視図、図５は、同洗濯機の不燃化カバーの周囲を示す縦断面図である。
【００２４】
図４及び５に示すように、不燃化カバー２２８は、難燃性の板金材料により略コ字状に形成され、延焼を抑止する機能を有する。不燃化カバー２２８は、下部枠体１０３から上方に延伸させて形成されたガイド体２３３の上面に載置され、開口部２４０が外枠１０１の背面と対向するように取り付けられている。また、不燃化カバー２２８は、略コ字状の上面である上部天面２３４が上方に折り曲げられている。本実施の形態では、上部天面２３４から折り曲げられた部分を傾斜面２３６としており、傾斜面２３６は開口部２４０の高さを拡大させる役割を果たしている。
【００２５】
また、リード線１２７を結束する結束バンド１４１を固定するための結束バンド固定部１４２が挿入され固定されるべく、不燃化カバー２２８の下面には、係止用孔部２３１が形成され、ガイド体２３３の上面には、係止用孔部２３１に対応する位置にガイド体孔２３７が形成されている。不燃化カバー２２８の下面の側方端部は、両側で折り曲げられており、後述するガイド体２３３に載置される際の位置決めを行う。また、不燃化カバー２２８の下面背面側には、ビス止め用の孔が開口されたビス締結部２３２が下垂形成されている。
【００２６】
ガイド体２３３は、内部が空洞に形成された略四角形状に形成されており、内部には強度補強用のリブが上下に形成されている。リブの上部には、ビス締結部２３２と対向する位置にビス止め部２３５が膨出して形成されており、ビス止め部２３５の内部にはビス止め用の穴が形成されている。ビス止め部２３５は、膨出して形成したことにより樹脂の量が多く、延焼の虞が高くなっている。そこで、リード線１２７の固定位置である係止用孔部２３１から離間してビス止め部２３５を配置することで、リード線１２７が断線した際に火災が発生し、延焼することを抑制している。
【００２７】
図６は、実施の形態１における洗濯機の不燃化カバーの取付作業を示す模式図である。
【００２８】
図６に示すように、組み立ての際、不燃化カバー２２８をガイド体２３３に載置し、ビス締結部２３２及びビス止め部２３５に対してビス２５１によりビス止めする。次に、リード線１２７を不燃化カバー２２８の内部に載置し、結束バンド１４１の結束バンド固定
部１４２の先端を係止用孔部２３１およびガイド体孔２３７に挿入してリード線１２７を不燃化カバー２２８の内部に固定する。本実施の形態では、上部天面２３４に傾斜面２３６を形成して開口部２４０を広く設けたことにより、不燃化カバー２２８の内部空間が広く構成されている。従って、開口部２４０から不燃化カバー２２８の内部に手を入れやすくなっており、結束バンド１４１の結束バンド固定部１４２の先端を係止用孔部２３１およびガイド体孔２３７に挿入する際の作業効率が良い。
【００２９】
以上のように構成された洗濯機１００について、以下、その動作を説明する。
【００３０】
使用者は、蓋１０４を開いて洗濯物投入口１０５から洗濯兼脱水槽１０９内に洗濯物を投入し、操作表示部１０６を操作して電源をＯＮにする。続いて、使用者は、操作表示部１０６を操作して各種コースを選択し、洗濯運転を開始させる。各種コースは、洗い工程、濯ぎ工程、脱水工程、等の各種工程により構成されている。設定したコースにおける一連の工程が終了すると、洗濯運転が終了する。
【００３１】
洗濯運転の際、サスペンションにより揺動自在に支持された水槽１０７は、洗濯兼脱水槽１０９やパルセータ１１０の動作に伴って振動する。水槽側取付部１３１に挟持されたリード線１２７は、水槽１０７の振動ともに大きく揺れ動く一方で、外枠１０１は略振動しないため、水槽側取付部１３１と不燃化カバー２２８との間の距離は大きく変動する。リード線弛み部１２７ａを設けることで、引張りや屈曲による応力を弛みによって緩和できるので、水槽側取付部１３１と不燃化カバー２２８との間の距離の変動によりリード線１２７が断線することを抑制できる。
【００３２】
また、水槽側取付部１３１と不燃化カバー２２８との間のリード線１２７には、水槽１０７の振動の一部が伝達されている。従って、下部枠体１０３に取り付けられた不燃化カバー２２８では、リード線１２７の係止されている箇所に応力が集中し、リード線１２７が断線して発火する虞がある。本実施の形態では、発火の虞がある係止箇所を、金属により形成された不燃化カバー２２８で覆い、樹脂で構成されることが多いコントローラボックス１１３及び水槽１０７が延焼することを抑止している。
【００３３】
（作用等）
以上のように、本実施の形態において、洗濯機１００は、外枠１０１、上部枠体１０２、及び下部枠体１０３と、外枠１０１の内部に揺動可能に支持された水槽１０７と、水槽１０７の内部に回転自在に設けられた洗濯兼脱水槽１０９と、水槽１０７の下部に配設され、洗濯兼脱水槽１０９を回転駆動させるモータ１２１と、外枠１０１の背面側に配設され、モータ１２１を制御する制御基板と、モータ１２１と制御基板とを接続するリード線１２７と、下部枠体１０３に配設され、リード線１２７を固定する不燃化カバー２２８と、を備える。不燃化カバー２２８は、難燃部材により略コ字状に形成され、略コ字の内部にリード線１２７を固定し、外枠１０１の背面側に開口するように配置されており、略コ字の上面である傾斜面２３６は、背面に向かって開くように構成されている。
【００３４】
これにより、不燃化カバー２２８は略コ字状の開口部２４０が大きくなるように構成されているので、不燃化カバー２２８の内部空間を大きく構成できる。そのため、リード線１２７の断線による火災発生を抑止するとともに、リード線１２７の取り付けや取外しが容易である。
【００３５】
本実施の形態のように、不燃化カバー２２８は、リード線１２７を固定する箇所から離間した位置において、ガイド体２３３に対してビス止めされるようにしてもよい。
【００３６】
これにより、延焼の虞があるビス止め部２３５を、リード線１２７の固定位置から遠ざ
けることができるので、安全性が高い。
【００３７】
（他の実施の形態）
以上のように、本出願において開示する技術の例示として、実施の形態１を説明した。しかしながら、本開示における技術は、これに限定されない。
【００３８】
そこで、以下、他の実施の形態を例示する。
【００３９】
実施の形態１では、洗濯機の一例として、縦型洗濯機である洗濯機１００を説明した。洗濯機は、筐体内に揺動自在に支持された水槽及び制御装置を備えていればよいので縦型洗濯機に限定されない。洗濯機は、二槽式洗濯機であってもよい。
【００４０】
実施の形態１では、略コ字状の筐体側取付部の一例として、不燃化カバー２２８を説明した。略コ字状とは、不燃化カバー２２８の形状に限定されるものではなく、コの字形状、Ｕ字形状、半円形状、それらの端部を折り曲げた形状、であってもよい。
【００４１】
実施の形態１では、難燃部材の一例として、金属を説明した。難燃部材は、金属に限定されるものではなく、セラミックや難燃性の樹脂を用いてもよい。
【００４２】
実施の形態１では、略コ字の上面の一例として、上部天面２３４、及び上部天面２３４から折り曲げられた傾斜面２３６を説明した。略コ字の上面は、背面に向かって開くように構成されていればよいので、上方に向けて折り曲げられた構造に限定するものではない。例えば、上面全体が背面に向かって上方傾斜してもよい。
【産業上の利用可能性】
【００４３】
本開示は、モータ及び制御装置をリード線で電気的に接続している洗濯機に適用可能である。具体的には、縦型洗濯機、ドラム式洗濯機、二槽式洗濯機などに、本開示は適用可能である。
【符号の説明】
【００４４】
１００  洗濯機
１０１  外枠
１０２  上部枠体
１０３  下部枠体
１０４  蓋
１０５  洗濯物投入口
１０６  操作表示部
１０７  水槽
１０９  洗濯兼脱水槽
１１０  パルセータ
１１１  バランサ
１１２  脱水孔
１１３  コントローラボックス
１１３ａ  ボックス開口部
１１４  背面カバー
１２０  モータ保持部
１２１  モータ
１２２  ベルト
１２３  モータ側プーリ
１２４  メカ側プーリ
１２５  回転軸
１２６  伝達機構
１２７  リード線
１３１  水槽側取付部
１４１  結束バンド
１４２  結束バンド固定部
２２８  不燃化カバー（難燃部材）
２３１  係止用孔部
２３２  ビス締結部
２３３  ガイド体
２３４  上部天面
２３５  ビス止め部
２３６  傾斜面
２３７  ガイド体孔
２４０  開口部
２５１  ビス
【図１】
2020178954.tif 000003
【図２】
2020178954.tif 000004
【図３】
2020178954.tif 000005
【図４】
2020178954.tif 000006
【図５】
2020178954.tif 000007
【図６】
2020178954.tif 000008